(57)【要約】【課題】ショーケースの本体には改造の手を加えることなく、オプションとして用意した短尺商品陳列棚に簡単な部品を追加するだけで、既存のショーケースに対しても短尺な商品陳列棚を標準サイズの商品陳列棚と差し替えて定位置に設置できるようにする。【解決手段】ケース本体の庫内に上下段に並べて商品陳列棚を配備したショーケースで、標準サイズの商品陳列棚の配列に合わせて庫内の前部左右および背後に棚支柱7,８を立設し、該該支柱に掛け金具９を介して各段の商品陳列棚を定位置に掛止支持したものにおいて、棚の奥行き寸法が標準サイズの商品陳列棚よりも短い短尺な商品陳列棚３’に対しては、その棚板の左右側縁から前方に延在する支持アーム３ａを付設し、該支持アームの先端部を掛け金具を介して左右の棚支柱に掛止支持するものとし、該支持アームを断面Ｌ字形のチャンネル鋼材で構成し、商品陳列棚の左右側縁に重ね合わせてネジ１０で固着する。【選択図】        図１
2006087487.tif 000002
【特許請求の範囲】
【請求項１】
ケース本体の庫内に上下段に並べて商品陳列棚を配備したショーケースであり、標準棚サイズの商品陳列棚の配列に合わせて庫内の前部左右および背後に棚支柱を立設し、該該支柱に掛け金具を介して各段の商品陳列棚を定位置に掛止支持したものにおいて、
棚の奥行き寸法が庫内に立設した前部の棚支柱と背後の棚支柱との間の間隔より短い短尺な商品陳列棚に対しては、その棚板の左右側縁から前方に延在する支持アームを付設し、該支持アームの先端部を掛け金具を介して左右の棚支柱に掛止支持したことを特徴とするショーケース。
【請求項２】
請求項１記載のショーケースにおいて、支持アームを断面Ｌ字形のチャンネル鋼材で構成し、該チャンネル鋼材を短尺な商品陳列棚の左右側縁に重ね合わせて固着したことを特徴とするショーケース。
【発明の詳細な説明】
【技術分野】
【０００１】
本発明は、主としてリーチイン形ショーケースを実施対象に、ショーケースの庫内に配備した商品陳列棚の支持構造に関する。
【背景技術】
【０００２】
まず、頭記のリーチイン形ショーケースを例に、ショーケースの全体構造を図２に示す。図２において、１は前面開放形の断熱筐体になるケース本体、２はその前面に配した透視扉であり、ケース本体１の庫内（商品陳列室）には上下段に並べて配置した商品陳列棚３、および庫内前部に配した庫内照明灯（蛍光灯）４を備えている。また、ケース本体１の底部には冷却器（冷凍機のエバポレータ）５，および冷気循環用ファン６を設置した上で庫内空間との間をデッキパン（庫内底板）で仕切り、ケース本体１の外箱１ａと内箱１ｂとの間に画成した冷気循環ダクト１ｃを通じて庫内前面に冷気エアカーテンを吹き出し形成し、商品陳列棚３に並べた商品（図示せず）を保冷することは周知の通りである。
【０００３】
また、前記の商品陳列棚３は、その棚配列に合わせて庫内前後に立設した棚支柱に支持金具を介して支持するようにしており（例えば、特許文献１参照）、図示の構造では庫内前部の左右に立設した棚支柱７と庫内の背後（内箱の背面パネル）に立設した棚支柱８に掛金具（フック形状のクリップ）９を介して水平姿勢に支持されている。
【０００４】
次に、従来における商品陳列棚３の取付構造を図３（ａ）〜（ｃ）で説明する。すなわち、ショーケースに標準装備されている図示の標準サイズ（横幅Ｗ，奥行きＬ１）に合わせて、庫内の前部および背後には左右に一対ずつの棚支柱７，８を立設し、該棚支柱に形成した取付位置調節用の角穴７ａ，８ａに掛金具９を介して棚板の前部側縁および後縁を載せて水平姿勢に支持している。
【特許文献１】特開２０００−１４４６８号公報
【発明の開示】
【発明が解決しようとする課題】
【０００５】
図２に示したリーチイン形ショーケースの庫内に前記した標準サイズの商品陳列棚３を上下段に並べて設置すると、商品陳列棚３の前縁と庫内前部に配した庫内照明灯４とが接近し、この状態で各商品陳列棚３に商品を一杯に陳列すると照明光が陳列棚の前部で遮光されてしまい、このために庫内が暗くなって商品の展示効果が十分に発揮できないといった問題のあることがユーザーから指摘されている。
【０００６】
そこで、ショーケースのメーカーでは商品陳列棚として前記した標準サイズの他に奥行き寸法を標準サイズより縮小した短尺棚をオプションとしてユーザーに提供することを検討し、その製品開発化を進めている。
【０００７】
ところで、ユーザーのロケーション先に納品，設置した既設のショーケースを含めて、市場に展開しているリーチイン形ショーケースは図２のように標準サイズの商品陳列棚３に合わせて庫内前部の棚支柱７を位置決め設置している。このために、奥行き寸法の短い短尺棚を用意しても、このままではショーケースの庫内に立設した棚支柱７と８に跨がって棚板を支持することができない。
【０００８】
かかる点、短尺な商品陳列の棚サイズ（奥行き寸法）に合わせて、庫内に設置した棚支柱７の後方に別な棚支柱を追加装備する改造案も考えられるが、庫内の底部から天井まで延在する高さの高い棚支柱を追加装備することはコスト高となるほか、その改造には大掛かりな作業を要するため現実的には実施化が難しい。
【０００９】
そこで、本発明はショーケースの本体側には改造の手を加えることなく、オプションとして用意した短尺な商品陳列棚に簡単な部品を追加するだけで、既存のショーケースに対しても短尺な商品陳列棚を標準サイズの商品陳列棚と差し替えて定位置に設置できるようにした商品陳列棚の取付構造を提供することを目的とする。
【課題を解決するための手段】
【００１０】
上記目的を達成するために、本発明によれば、ケース本体の庫内に上下段に並べて商品陳列棚を配備したショーケースであって、標準サイズの商品陳列棚の配列に合わせて庫内の前部左右および背後に棚支柱を立設し、該該支柱に掛け金具を介して各段の商品陳列棚を定位置に掛止支持したものにおいて、
棚の奥行き寸法が庫内に立設した前部の棚支柱と背後の棚支柱との間の間隔より短い短尺な商品陳列棚に対しては、その棚板の左右側縁から前方に延在する支持アームを付設し、該支持アームの先端部を掛け金具を介して左右の棚支柱に掛止支持するものとし（請求項１）、具体的には支持アームを断面Ｌ字形のチャンネル鋼材で構成し、該チャンネル鋼材を短尺な商品陳列棚の左右側縁に重ね合わせて固着する（請求項２）。
【発明の効果】
【００１１】
上記の構成によれば、標準サイズよりも奥行き寸法の短い短尺商品陳列棚に対して、標準サイズの商品陳列棚との奥行き寸法差を補完するように棚板の左右側縁に簡単な支持アームを追加装備するだけで、既存のショーケース庫内に立設した棚支柱に短尺な商品陳列棚を支持することができ、これにより大掛かりな庫内改造，費用を要さずにユーザーの要望に応えて短尺商品陳列棚を標準サイズの商品陳列棚に差し替えて使用できる。
【発明を実施するための最良の形態】
【００１２】
以下、本発明の実施の形態を図１（ａ）〜（ｃ）に示す実施例に基づいて説明する。なお、図示実施例の図中で図３に対応する部材には同じ符号を付してその説明は省略する。
【００１３】
すなわち、ショーケースの庫内に搭載する商品陳列棚として、その奥行き寸法Ｌ２が図３に示した標準サイズの棚板の奥行き寸法Ｌ１よりも短小な短尺商品陳列棚３’（オプション）については、あらかじめ棚板の左右側縁に支持アーム３ａを付設しておくものとする。ここで、支持アーム３ａは断面Ｌ字形のチャンネル鋼材で作られたもので、その長さは図２に示した標準サイズの棚板（奥行き寸法Ｌ１）との寸法差を補完するように棚板の前縁から前方に延在するように設定されており、図１（ｃ）で示すように支持アーム３ａを商品陳列棚３’の左右側縁に添わせて棚板に重ね合わせた上で、ネジ１０で固定する。
【００１４】
そして、この短尺な商品陳列棚３’を既存のショーケースに設置されている標準サイズの商品陳列棚（図３参照）に差し替えて使用する場合には、図示のように棚板の後縁を庫内の背後に立設した棚支柱８に掛け金具９を介して指定の高さ位置に支持し、庫内前部に立設した左右の棚支柱７に対しては、棚板から前方に延在する支持アーム３ａの前端部を棚支柱７に掛け金具９を介して指定の位置に掛止し、これで棚板を水平姿勢に支持するようにする。なお、短尺な商品陳列棚３’を使用することにより、その棚板の前縁と庫内前部に配した庫内照明灯との間の空間が拡大するので、その分だけ照明光が庫内に広がって商品の展示効果を高めることができる。
【図面の簡単な説明】
【００１５】
【図１】本発明の実施例によるショーケースの商品陳列棚取付構造図で、（ａ），（ｂ）は棚の設置状態を表す平面図，および側面図、（ｃ）は要部構造の斜視図
【図２】リーチイン形ショーケースの全体構成図
【図３】従来のショーケースに標準装備されている商品陳列棚の取付構造図で、（ａ），（ｂ）は棚の設置状態を表す平面図，および側面図、（ｃ）は要部構造の斜視図
【符号の説明】
【００１６】
１    ケース本体
２    透視扉
３    商品陳列棚(標準サイズ棚)
３’   短尺商品陳列棚
３ａ  支持アーム
４    庫内照明灯
７，８  棚支柱
９    掛け金具
【図１】
2006087487.tif 000003
【図２】
2006087487.tif 000004
【図３】
2006087487.tif 000005